(57)【要約】【課題】被接続部と接続部が接続されているときに、コネクタカバーの被接続部を覆う部分が露出しないようにして、水滴や粉塵などの異物の付着を防止し、また、コネクタカバーをコネクタに付設しても取外して別途保管することなく使用可能にし、異物の侵入を防止した。【解決手段】一方のコネクタ１と、一方のコネクタ１の被接続部１０に着脱可能に接続される接続部２０を備える他方のコネクタ２とを備え、被接続部１０及び接続部２０が接続されないときに、被接続部１０を覆うコネクタカバー３を備え、被接続部１０及び接続部２０が接続されるときに、コネクタカバー３を収納可能なコネクタカバー収納部４とを備える。【選択図】      図２
2009021125.tif 000002
【特許請求の範囲】
【請求項１】
一方のコネクタと、該一方のコネクタの被接続部に着脱可能に接続される接続部を有した他方のコネクタとを備えるコネクタ装置であって、
前記被接続部及び接続部が接続されないときに、前記被接続部を覆うコネクタカバーと、前記被接続部及び接続部が接続されるときに、前記コネクタカバーを収納可能なコネクタカバー収納部とを備えることを特徴とするコネクタ装置。
【請求項２】
前記一方のコネクタが、内側に前記被接続部が設けられる凹部を備え、
前記コネクタカバーが、前記凹部に挿入される突出部を備え、
前記他方のコネクタが、前記接続部が設けられるコネクタ本体と、前記コネクタカバー収納部が設けられる収納体とを備え、
前記コネクタカバー収納部が、前記突出部を収納可能に前記収納体に凹設形成されることを特徴とする請求項１記載のコネクタ装置。
【請求項３】
前記コネクタ本体と前記収納体とが一体に形成されることを特徴とする請求項２記載のコネクタ装置。
【請求項４】
前記コネクタカバーが、前記凹部に突出部を挿入可能に前記一方のコネクタ側にヒンジ結合され、
前記被接続部及び接続部が接続されるときにおいて、前記コネクタカバーの回動により前記突出部を挿入しうる位置に、前記コネクタカバー収納部を設けることを特徴とする請求項２又は３記載のコネクタ装置。
【請求項５】
前記被接続部及び接続部が、これらのいずれか一方を、いずれか他方に、差込可能に形成され、
前記コネクタカバー収納部が、該コネクタカバー収納部の凹設方向と、前記被接続部又は接続部の差込方向とが、ほぼ直交するように形成されることを特徴とする請求項４記載のコネクタ装置。
【請求項６】
前記コネクタカバー収納部が前記コネクタカバーを収納したときに、前記他方のコネクタ側に前記コネクタカバーを保持させる保持機構を備えることを特徴とする請求項１〜５いずれか一項に記載のコネクタ装置。
【請求項７】
前記一方のコネクタが、内側に前記被接続部が設けられる凹部を備え、
前記コネクタカバーが、前記凹部に挿入される突出部を備え、
前記他方のコネクタが、前記接続部が設けられるコネクタ本体と、前記コネクタカバー収納部が設けられる収納体とを備え、
前記コネクタカバー収納部が、前記突出部を収納可能に前記収納体に凹設形成され、
前記保持機構が、前記突出部の側面に突出形成される突起と、前記コネクタカバー収納部の内側面に形成され前記突起が挿入される挿入孔とを備えることを特徴とする請求項６記載のコネクタ装置。
【請求項８】
相手方コネクタの被接続部に着脱可能に接続される接続部を備えるコネクタであって、
前記被接続部及び接続部が接続されるときにおいて、前記被接続部及び接続部が接続されないときに前記被接続部を覆うコネクタカバーを収納可能なコネクタカバー収納部を備えることを特徴とするコネクタ。
【請求項９】
前記接続部が設けられるコネクタ本体と、前記コネクタカバー収納部が設けられる収納体とを備え、
前記コネクタカバー収納部が、内側に前記被接続部が設けられる相手方コネクタの凹部に挿入される前記コネクタカバーの突出部を収納可能に、前記収納体に凹設形成されることを特徴とする請求項８記載のコネクタ。
【請求項１０】
前記コネクタ本体と前記収納体とが一体に形成されることを特徴とする請求項９記載のコネクタ。
【請求項１１】
前記被接続部及び接続部が接続されるときにおいて、前記相手方コネクタ側にヒンジ結合されるコネクタカバーの回動により前記突出部を、挿入しうる位置に前記コネクタカバー収納部を設けることを特徴とする請求項９又は１０記載のコネクタ。
【請求項１２】
前記被接続部及び接続部が、これらのいずれか一方を、いずれか他方に差込可能に形成され、
前記コネクタカバー収納部が、該コネクタカバー収納部の凹設方向と、前記被接続部又は接続部の差込方向とが、ほぼ直交するように形成されることを特徴とする請求項１１記載のコネクタ。
【請求項１３】
前記コネクタカバー収納部が前記コネクタカバーを収納したときに、該コネクタカバーを保持する保持機構を備えることを特徴とする請求項８〜１２のいずれか一項に記載のコネクタ。
【請求項１４】
前記コネクタカバー収納部が、内側に前記被接続部が設けられる相手方コネクタの凹部に挿入されるコネクタカバーの突出部を収納可能に凹設形成され、
前記保持機構が、前記コネクタカバー収納部の内側面に形成され、前記突出部の側面に突出形成される突起が挿入される挿入孔を備えることを特徴とする請求項１３記載のコネクタ。
【請求項１５】
相手方コネクタの接続部が着脱可能に接続される被接続部を有したコネクタを備える電気機器であって、
前記被接続部及び接続部が接続されないときに、前記被接続部を覆い、前記被接続部及び接続部が接続されるときに、コネクタカバー収納部に収納可能なコネクタカバーを備えることを特徴とする電気機器。
【請求項１６】
前記コネクタが、内側に前記被接続部が設けられる凹部を備え、
前記コネクタカバーが、前記他方のコネクタに凹設形成される前記コネクタカバー収納部に収納可能、かつ、前記凹部に挿入可能な突出部を備えることを特徴とする請求項１５記載の電気機器。
【請求項１７】
前記コネクタカバーが、回動により前記突出部が前記凹部及び前記コネクタカバー収納部に挿入可能に前記コネクタにヒンジ結合されることを特徴とする請求項１６記載の電気機器。
【請求項１８】
相手方のコネクタの被接続部にコネクタの接続部が接続されないときに、前記被接続部を覆うコネクタカバーの収納体であって、
前記被接続部及び接続部が接続されるときに、前記コネクタカバーを収納可能なコネクタカバー収納部を備えることを特徴とするコネクタカバーの収納体。
【発明の詳細な説明】
【技術分野】
【０００１】
本発明は、互いに接続されるコネクタを備えるコネクタ装置に関し、特に、コネクタの接続部位を覆うコネクタカバーを備えるコネクタ装置、及び、このコネクタ装置に用いられるコネクタ、このコネクタ装置が用いられる電気機器に関する。
【背景技術】
【０００２】
一般に、例えば、携帯電話、ノート型のコンピュータなどの電気機器には、水滴や粉塵がかかっても、その動作に影響しないタイプのものがある。
【０００３】
従来、このような電気機器などに設けられ、例えば、電源、充電用ケーブル、ＬＡＮ、ＵＳＢなどのＩ／Ｏケーブルを介して他の機器と接続されるＩ／Ｏポートなどの被接続部を有したコネクタに関連する技術としては、例えば、特許文献１〜３記載のものがあげられる。
【０００４】
この特許文献１〜３に記載のコネクタは、電気機器に一体に形成されており、電気機器側のＩ／Ｏポートを覆うコネクタカバーを備えている。
コネクタカバーは、コネクタに付設されるとともに、Ｉ／Ｏケーブルを接続しないときに、コネクタの被接続部を覆う。そして、このコネクタカバーが、水滴や粉塵からコネクタの被接続部を保護することにより、防滴及び防塵を行なっている。
【０００５】
また、従来、例えば、Ｉ／Ｏポート側の被接続部に接続される接続部を有したＩ／Ｏケーブル側のコネクタに関連する技術としては、例えば、特許文献１，４〜６記載の技術があげられる。
この特許文献１，４〜６記載のＩ／Ｏケーブル側のコネクタは、コネクタカバーによる覆いを解除した後に、電気機器側のコネクタに連結し、Ｉ／Ｏケーブル側の接続部を、被接続部であるＩ／Ｏポートに接続する。
【０００６】
【特許文献１】実開昭６０−０１７５７７号公報
【特許文献２】特開平０８−０９５９２０号公報
【特許文献３】特開平１１−１４６０４６号公報
【特許文献４】特開平０４−２３７９７７号公報
【特許文献５】特開２００１−０５２７９７号公報
【特許文献６】特開２００４−３５６０２９号公報
【発明の開示】
【発明が解決しようとする課題】
【０００７】
しかしながら、上記のＩ／Ｏポート側のコネクタに、Ｉ／Ｏケーブル側のコネクタを接続すると、コネクタカバーの被接続部を覆う部分が露出した状態となり、これに水滴や粉塵などの異物が付着するおそれがあった。
そのため、コネクタカバーの被接続部を覆う部分に異物が付着した状態で、コネクタカバーを閉じると、被接続部側に異物が侵入してしまい、電気機器の動作に支障をきたしてしまうおそれがあった。
【０００８】
また、この問題の解決のために、装置本体に付設されたコネクタカバーをコネクタから取り外し別途保管することが考えられるが、着脱作業が煩雑で、しかも、別途保管したコネクタカバーを紛失してしまうおそれがあった。
【０００９】
本発明は、以上のような従来の技術が有する問題を解決するために提案されたものであり、被接続部と接続部が接続されているときに、コネクタカバーの被接続部を覆う部分が露出しないようにして、水滴や粉塵などの異物の付着を防止し、また、コネクタカバーをコネクタに付設しても取外して別途保管することなく使用できるようにして、異物の侵入を確実に防止するコネクタ装置、コネクタ装置に用いられるコネクタ及び電気機器の提供を目的とする。
【課題を解決するための手段】
【００１０】
上記目的を達成するため、本発明のコネクタ装置は、一方のコネクタと、該一方のコネクタの被接続部に着脱可能に接続される接続部を備える他方のコネクタとを備えるコネクタ装置であって、前記被接続部及び接続部が接続されないときに、前記被接続部を覆うコネクタカバーと、前記被接続部及び接続部が接続されるときに、前記コネクタカバーを収納可能なコネクタカバー収納部とを備えている。
【００１１】
上記目的を達成するため、本発明のコネクタは、相手方コネクタの被接続部に着脱可能に接続される接続部を備えるコネクタであって、前記被接続部及び接続部が接続されるときにおいて、前記被接続部及び接続部が接続されないときに前記被接続部を覆うコネクタカバーを収納可能なコネクタカバー収納部を備えている。
【００１２】
上記目的を達成するため、本発明の電気機器は、相手方コネクタの接続部が着脱可能に接続される被接続部を有したコネクタを備える電気機器であって、前記被接続部及び接続部が接続されないときに、前記被接続部を覆い、前記被接続部及び接続部が接続されるときに、コネクタカバー収納部に収納可能なコネクタカバーを備えている。
【発明の効果】
【００１３】
本発明のコネクタ装置、コネクタ及び電気機器によれば、コネクタカバーの接続部位を覆う部分が露出しないようになり、異物の付着を防止できる。
また、コネクタカバーをコネクタに付設しても取外して別途保管することなく使用することができる。
これにより、異物の侵入を確実に防止することができる。
【発明を実施するための最良の形態】
【００１４】
以下、本発明に係るコネクタ装置の好ましい実施形態について、説明する。
図１には、本発明の第一実施形態に係るコネクタ装置全体を示している。
本図に示すように、コネクタ装置は、一方のコネクタ１と、一方のコネクタ１の被接続部１０に着脱可能に接続される接続部２０を有した他方のコネクタ２とを備えている。
このコネクタ装置は、例えば、ノート型のコンピュータなどの電気機器のＩ／Ｏポートである被接続部１０と、他の機器を接続するためのＩ／Ｏケーブル２１の接続部２０との接続に用いられる。
なお、本実施形態においては、電気機器は、ノート型のコンピュータＤで構成されている。
【００１５】
一方のコネクタ１の被接続部１０及び他方のコネクタ２の接続部２０は、これらのいずれか一方が、いずれか他方に、差込可能に形成されている。
具体的には、一方のコネクタ１の被接続部１０は、例えば、ＰＳ／２ポート、ＵＳＢポート、ＬＡＮポート、シリアルポート、Ｄ−ｓｕｂ１５ピンなどの接続ソケットである。また、他方のコネクタ２の接続部２０は、接続ソケットに差し込まれる接続プラグである。
また、Ｉ／Ｏケーブル２１は、その接続部２０と反対側の端部が、例えば、ルータや、液晶ディスプレイ、プロジェクタ等の表示装置などの他の機器に接続されている。
【００１６】
図２には、本実施形態に係るコネクタ装置を、被接続部１０及び接続部２０を接続した状態で示している。
図３及び図４には、本実施形態に係るコネクタ装置の一方のコネクタ１を示している。
一方のコネクタ１は、ノート型のコンピュータＤの背面側などに、コンピュータＤと一体に形成されている。
一方のコネクタ１は、凹部１１を備えている。
この凹部１１の底部には、被接続部１０が設けられている。
被接続部１０は、凹部１１の底部に設けられた貫通孔１３に、電気機器Ｄの内部から挿通されている。
【００１７】
図５には、本実施形態に係るコネクタ装置の他方のコネクタ２を示している。
他方のコネクタ２は、接続部２０が設けられる他方のコネクタ本体２ａを備えている。
他方のコネクタ本体２ａは、Ｉ／Ｏケーブル２１の端部に設けられている。なお、詳述しないが、Ｉ／Ｏケーブル２１は、他方のコネクタ本体２ａ内で接続部２０に接続されている。
また、他方のコネクタ本体２ａの先端には、凹部１１に挿入される突設部２２が設けられている。
突設部２２は、基端２２０が他方のコネクタ本体２ａに接合され、先端２２１側に開放口を有した筒状に形成されている。
突設部２２の内側には、接続部２０が設けられている。
【００１８】
また、突設部２２には、この突設部２２の外周に沿う凸条に形成される弾性部材２３が設けられている。弾性部材２３は、突設部２２の突出方向に、二つ列設されている。この弾性部材２３は、突設部２２が凹部１１に挿入されたときに、凹部１１の内周に弾接し、一方のコネクタ１及び他方のコネクタ２の間を密封する。
【００１９】
突設部２２の先端側側面には、一方のコネクタ１の凹部１１の底部側に設けられた挿入孔１２に挿入される突起２４が設けられている。突起２４は、突設部２２が凹部１１に挿入されると、挿入孔１２に挿入され、一方のコネクタ１に対する他方のコネクタ２の抜け止めを行なう。
また、突起２４は、紡錘状に形成されており、所定の力で一方のコネクタ１から他方のコネクタ２を引っ張ると、突起２４又は突設部２２が弾性変形して突起２４が挿入孔から出る。
【００２０】
また、図１〜図４に示すように、コネクタ装置は、被接続部１０及び接続部２０が接続されないときに、被接続部１０を覆うコネクタカバー３を備えている。
コネクタカバー３は、一方コネクタ１側に付設されている。
詳しくは、コネクタカバー３は、弾性体３２により一方のコネクタ１にヒンジ結合されている。
弾性体３２は、コネクタカバー３に一体に形成されており、その端部３３が、一方のコネクタ１の下側外周面に接合されている。
【００２１】
また、コネクタカバー３は、回動により、一方のコネクタ１の凹部１１に挿入される突出部３０を備えている。
突出部３０は、他方のコネクタ２の突設部２２と同形状に形成されており、基端３００がコネクタカバー本体３ａに接合され、先端３０１側に開放口を有した筒状に形成されている。
【００２２】
また、突出部３０には、この突出部３０の外周に沿う凸条に形成された弾性部材３１が設けられている。弾性部材３１は、突出部３０の突出方向に、二つ列設されている。この弾性部材３１は、突出部３０が凹部１１に挿入されたときに、凹部１１の内周に弾接し、一方のコネクタ１及びコネクタカバー３の間を密封する。
【００２３】
突出部３０の先端側には、一方のコネクタ１の凹部１１の底部近傍に設けられた挿入孔１２に挿入される突起５０が設けられている。
この突起５０は、他方のコネクタ２の突設部２２に設けた突起２４と同様に、突出部３０が凹部１１に挿入されると、挿入孔１２に挿入され、一方のコネクタ１に対するコネクタカバー３の抜け止めを行なう。
また、突起５０も、突設部２２に設けた突起２４と同様に、紡錘状に形成されており、所定の力で一方のコネクタ１からコネクタカバー３を所定の力で引っ張ると、突起５０又は突出部３０が弾性変形して突起５０が挿入孔１２から出る。
【００２４】
また、図２及び図５に示すように、コネクタ装置は、他方のコネクタ２に、被接続部１０及び接続部２０が接続されるとき、コネクタカバー３を収納可能なコネクタカバー収納部４を備えている。
コネクタカバー収納部４は、他方のコネクタ２に備えられる収納体に設けられている。なお、本実施形態に置いては、収納体は、他方のコネクタ本体２ａと一体に形成されており、コネクタカバー収納部４は、突出部３０を収納可能に他方のコネクタ本体２ａの腹部に凹設形成されている。
【００２５】
また、コネクタカバー収納部４は、凹部１１とほぼ同様の形状に形成され、その内周面に突出部３０に設けた弾性部材３１が弾接可能になっている。
また、コネクタカバー収納部４は、被接続部１０及び接続部２０が接続されるときにおいて、コネクタカバー３の回動により突出部３０を挿入しうる位置に設けられている。
【００２６】
さらに、コネクタカバー収納部４は、コネクタカバー収納部４の凹設方向と、接続プラグである接続部２０の接続ソケットである被接続部１０に対する差込方向Ｋとが、ほぼ直交するように形成される。
【００２７】
また、コネクタ装置は、コネクタカバー収納部４がコネクタカバー３を収納したときに、他方のコネクタ２にコネクタカバー３を保持させる保持機構５を備えている。
保持機構５は、突出部３０の側面に突出形成される突起５０と、コネクタカバー収納部４の内側面に形成され突起５０が挿入される挿入孔５１とを備えている。
また、コネクタカバー収納部４に突出部３０が収納された状態で、コネクタカバー３を所定の力で引っ張ると、突起５０又は突出部３０が弾性変形して突起５０が挿入孔５１から出る。
【００２８】
次に、以上のような構成からなる本実施形態のコネクタ装置の作用について説明する。
図３に示すように、コネクタカバー３で被接続部１０を覆うと、突出部３０の弾性部材３１が、凹部１１の内周に弾接して密着するので、凹部１１内がコネクタカバー３で密封される。
そのため、この状態では、被接続部１０が外部に露出せず、また、水滴や粉塵などの異物が被接続部１０に付着しない。
【００２９】
このノート型のコンピュータＤのＩ／Ｏポートである被接続部１０に、Ｉ／Ｏケーブル２１の接続部２０を接続するときには、図４及び図６に示すように、まず、コネクタカバー３の端部を把持し、コネクタカバー３を一方のコネクタ１から取り外す。
【００３０】
次に、図２に示すように、他方のコネクタ２の突設部２２を、一方のコネクタ１の凹部１１に挿入するとともに、他方のコネクタ２の接続部２０を一方のコネクタ１の被接続部１０に、差し込んで接続する。
このようにすると、他方のコネクタ２の突設部２２の弾性部材２３が、一方のコネクタ１の凹部１１の内周に弾接し、他方のコネクタ２により凹部１１内が密封される。
【００３１】
また、コネクタカバー３を回動し、他方のコネクタ２のコネクタカバー収納部４に、コネクタカバー３の突出部３０を挿入する。
この状態で、ノート型のコンピュータＤを、Ｉ／Ｏケーブル２１を介して接続された他の機器とともに使用する。
【００３２】
このようにすると、コネクタカバー３の突出部３０がコネクタカバー収納部４に覆われ、コネクタカバー収納部４に、水滴や粉塵などの異物が付着しなくなる。
この状態においては、他方のコネクタ２のコネクタカバー収納部４に、突出部３０が収納されており、しかも、コネクタカバー３が一方のコネクタ１にヒンジ結合されているので、他方のコネクタ２が引き抜かれる方向に何らかの力がかかっても、他方のコネクタ２が一方のコネクタ１から抜ける事態を防止できる。
また、凹部１１内が他方のコネクタ２のコネクタ本体２ａにより密封されているので、コネクタカバー３が凹部１１を覆っていなくても、水滴や粉塵などの異物が凹部１１内に侵入する事態を防止できる。
【００３３】
また、コネクタカバー３の突出部３０がコネクタカバー収納部４に挿入されると、突出部３０の弾性部材３１が、コネクタカバー収納部４の内周に弾接して密着するので、コネクタカバー収納部４内がコネクタカバー３で密封される。
これにより、コネクタカバー３の突出部３０側に、水滴や粉塵などの異物が確実に付着しなくなる。
【００３４】
その後、ノート型のコンピュータＤに接続された他の機器を取り外すときは、コネクタカバー３の端部を把持し、コネクタカバー収納部４に挿入されたコネクタカバー３の突出部３０を引き抜く。
次に、他方のコネクタ２のコネクタ本体２ａを把持し、一方のコネクタ１から引き抜く。
【００３５】
そして、図３に示すように、コネクタカバー３を回動して、突出部３０を凹部１１に挿入する。
このようにすると、突出部３０の開放口から被接続部１０が、突出部３０の内側に入れられる。
このとき、コネクタカバー３の突出部３０の内側には、水滴や粉塵などの異物がほとんど付着していないので、コネクタカバー３で被接続部１０を覆っても、異物のコンピュータＤ内への侵入がほとんど生じなくなる。
【００３６】
以上説明したように、本実施形態に係るコネクタ装置によれば、他方のコネクタ２に、コネクタカバー収納部４を設けたので、被接続部１０及び接続部２０が接続されているときは、コネクタカバー３がこれに収納されるようになり、コネクタカバー３は、水滴や粉塵などの異物が付着することを防止できる。
そして、他方のコネクタ２を、一方のコネクタ１から取外した後に、コネクタカバー３で被接触部１０を覆っても、コネクタカバー３に水滴や粉塵などの異物がほとんど付着していないので、これらがノート型のコンピュータＤに侵入する事態を防止できる。
【００３７】
また、コネクタカバー３が、一方のコネクタ１の凹部１１に挿入される突出部３０を備え、コネクタカバー収納部４が、突出部３０を収納可能に他方のコネクタ２に凹設形成されるので、コネクタカバー３を収納するときは、突出部３０をコネクタカバー収納部４に挿入する。
このようにすると、コネクタカバー３の突出部３０をコネクタカバー収納部４に収納するだけで、突出部３０を覆うことができる。これにより、突出部３０に、異物が付着する事態を確実に防止できる。
【００３８】
コネクタカバー３が、凹部１１に突出部３０を挿入可能に一方のコネクタ１にヒンジ結合されるので、コネクタカバー３が、電気機器Ｄから外れて紛失する事態を防止できる。
また、コネクタカバー３の回動により突出部３０を挿入しうる位置に、コネクタカバー収納部４が設けられるので、コネクタカバー３を回動すると突出部３０が、コネクタカバー収納部４に収納される。
これにより、他方のコネクタ本体２ａの突設部２２が、一方コネクタ１の凹部１１に挿入された状態で、単にコネクタカバー３を回動するだけで、これをコネクタカバー収納部４に収納できるので、コネクタカバー３の収納操作を容易に行うことができる。
また、コネクタカバー３が、取外されて別途保管されることなく、コネクタカバー収納部４に収納されるので、コネクタカバー３が紛失する事態を防止することができる。
そのため、被接続部１０から接続部２０を取外したときに、即座に被接続部１０をコネクタカバー３で覆うことができるので、より一層、確実に異物の侵入を防止できる。
【００３９】
コネクタカバー収納部４が、コネクタカバー３の凹設方向と、接続部２０の被接続部１０に対する差込方向Ｋとが、ほぼ直交するように形成されているので、他方のコネクタ本体２ａに、接続部２０の差込方向Ｋと逆の方向の力がかかっても、このコネクタカバー３自体が、他方のコネクタ本体２ａの抜け止めとして機能する。
すなわち、コネクタカバー３の突出部３０がコネクタカバー収納部４に収納されている状態では、コネクタカバー３が、一方のコネクタ１側に結合されているので、不用意に差込方向Ｋと逆の方向の力がかかっても、コネクタカバー収納部４が突出部３０に係止される。
そのため、他方のコネクタ２を一方のコネクタ１に対して抜け止めすることができる。
【００４０】
また、保持機構５で、コネクタカバー収納部４に収納されたコネクタカバー３を保持されるので、コネクタカバー３がコネクタカバー収納部４から不用意に外れて、コネクタカバー３の被接続部１０を覆う側に、異物が付着する事態を防止できる。
そのため、より一層、異物が電気機器Ｄ内に侵入する事態を防止することができる。
【００４１】
また、保持機構５が、突出部３０の側面に突出形成される突起と、この突起が挿入される挿入孔とを備えるので、単に、突出部３０をコネクタカバー収納部４に挿入すると挿入孔５１に突起５０が挿入される。
これにより、簡単な操作でコネクタカバー３を他方のコネクタ２に保持させることができる。
【００４２】
次に、本発明に係るコネクタ装置の第二実施形態について説明する。
図７及び図８には、本実施形態に係るコネクタ装置を示している。
これらの図に示すように、本実施形態のコネクタ装置は、他方のコネクタ２において、他方のコネクタ本体及び収納体２５が別体である点で上記第一実施形態のコネクタ装置と異なる。
【００４３】
他方のコネクタ本体は、前端側が接続部２０ａに形成されるＰＣカード２ｂで構成されている。
このＰＣカード２ｂは、その前端側の接続部２０ａが、ノート型のコンピュータ（電気機器）に設けられる被接続部としてのＰＣカードスロット１０ａに差し込まれる。
【００４４】
収納体２５は、凹部１１に挿入される突設部２２を備えている。
突設部２２は、基端２２０が他方のコネクタ本体２ｂに接合され、先端２２１側に開放口を有した筒状に形成されている。
また、突設部２２には、上記第一実施形態のコネクタ装置の他方のコネクタ本体と同様に、弾性部材２３及び突起２４が設けられている。
また、収納体２５には、凹部１１に収納体２５の突設部２２が挿入されるときにおいて、ＰＣカード２ｂの後端側が収容される収容空間２５０が凹設形成されている。
収容空間２５０は、突設部２２の内側に形成されている。
【００４５】
また、本実施形態のコネクタ装置において、他方のコネクタ２の収納体２５は、コネクタカバー３を収納可能なコネクタカバー収納部４を備えている。
コネクタカバー収納部４は、突出部３０を収納可能に収納体２５の腹部に凹設形成されている。
また、その他の構成部分は、第一実施形態と同様となっており、同様の構成部分については、図中で第一実施形態と同一符号を付し、詳細な説明は省略する。
【００４６】
次に、以上のような構成からなる本実施形態のコネクタ装置の作用について説明する。
図８に示すように、ノート型のコンピュータでＰＣカード２ｂを用いるときには、上記第一実施形態と同様にして、コネクタカバー３を回動し、一方のコネクタ１の凹部１１から突出部３０を取り出す。
次に、ＰＣカード２ｂの前端側の接続部２０ａをカードスロット１０ａに差込方向Ｋに向けて差し込み、収納体２５の突設部２２を一方のコネクタ１の凹部１１に挿入する。
【００４７】
そして、コネクタカバー３を回動し、収納体２５のコネクタカバー収納部４に、コネクタカバー３の突出部３０を挿入する。
このようにすると、収納体２５の突設部２２の弾性部材２３が、一方のコネクタ１の凹部１１の内周に弾接するので、収納体２５により凹部１１内が密封される。
この状態で、ノート型のコンピュータを、ＰＣカード２ｂとともに使用する。
【００４８】
次に、ＰＣカード２ｂをノート型のコンピュータから取り外すときは、上記実施形態と同様にして、収納体２５のコネクタカバー収納部４からコネクタカバー３の突出部３０を引き抜く。
次に、収納体２５を把持して一方のコネクタ１から引き抜き、ＰＣカード２ｂを、図示しないイジェクトレバーを操作して、カードスロット１０ａから取り出す。
そして、コネクタカバー３を回動して、突出部３０を凹部１１に挿入する。
【００４９】
このとき、コネクタカバー３の突出部３０の内側には、水滴や粉塵などの異物がほとんど付着していないので、コネクタカバー３で被接続部１０を覆っても、異物のノート型のコンピュータ内への侵入がほとんど生じなくなる。
また、収納体２５が収容空間２５０を備えているので、コネクタ本体２ｂの後端側が凹部１１から突出するようなものが被接続部１０に接続されていても、この部分が収容空間２５０に収容される。
これにより、収納体２５は、コネクタ本体２ｂが、例えば、無線ＬＡＮ用のカードやＵＳＢメモリなどのようなものであっても、コネクタ本体２ｂの後端部が干渉することなく、コネクタ本体２ｂを覆うことができる。
【００５０】
以上説明したように、本実施形態に係るコネクタ装置によれば、他方のコネクタ本体２ｂとは別体の収納体２５を設けたので、収納体２５でコネクタ本体２ｂごと覆うこともできる。
すなわち、このコネクタ装置は、コネクタ本体２ｂが、例えば、ＰＣカードやＵＳＢメモリなど既存のものである場合に、特に、有効である。
その他の作用及び効果は上記第一実施形態のものと同様である。
【００５１】
以上、本発明のコネクタ装置、コネクタ及び電気機器について、好ましい実施形態を示して説明したが、本発明に係るコネクタ装置、コネクタ及び電気機器は、上述した実施形態にのみ限定されるものではなく、本発明の範囲で種々の変更実施が可能であることは言うまでもない。
例えば、上記実施形態では電気機器は、ノート型のコンピュータとしたが、これに限定されることなく、携帯電話機、ＰＤＡ、デジタルスチルカメラ等の電子機器や、洗濯機冷蔵庫等の一般家電製品など、その他のものであってよい。
【００５２】
また、一方のコネクタと電気機器とが一体でなくてもよく、例えば、ケーブルの端部に設けられていてもよい。
また、上記実施形態においては、被接続部を、接続ソケットやカードスロットなどメス型に、接続部を、接続プラグやＰＣカードなどのオス型に、それぞれ形成したが、これに限定されるものでなく、被接続部がオス型、接続部がメス型などであってよい。また、被接続部及び接続部は、オス型、メス型に限定されず、互いに接続可能なものであればどのようなものであってもよく、適宜設計変更してよい。
【００５３】
また、上記第二実施形態において、コネクタ本体をＰＣカードとしたが、これに限定されるものでなく、例えば、ＵＳＢメモリなど本体に差し込んで使うものであればなんでもよい。
また、収納体が、例えば、コネクタ本体に装着されるアタッチメントタイプのものであってよく、適宜設計変更して差支えない。このようなアタッチメントタイプの収納体を、コネクタカバー収納部のない既存のコネクタ本体に用いると、既存のものであってもコネクタカバーの内側への異物の付着を防止することができる。
そのため、コネクタカバー収納部が備えられる専用のケーブルに買い替えたり、付け替えたりするなどの手間を省けるようになり、導入コストの低減を期待できる。
【図面の簡単な説明】
【００５４】
【図１】本発明の第一実施形態に係るコネクタ装置を示す斜視図である。
【図２】本発明の第一実施形態に係るコネクタ装置において、一方のコネクタと他方のコネクタとを接続した状態で示す断面図である。
【図３】本発明の第一実施形態に係るコネクタ装置の一方のコネクタを示す断面図である。
【図４】本発明の第一実施形態に係るコネクタ装置の一方のコネクタであって、コネクタカバーを開いた状態で示す断面図である。
【図５】本発明の第一実施形態に係るコネクタ装置の他方のコネクタを示す一部切欠き断面図である。
【図６】本発明の第一実施形態に係るコネクタ装置において、一方のコネクタと他方のコネクタとを接続するときの図である。
【図７】本発明の第二実施形態に係るコネクタ装置において、一方のコネクタと他方のコネクタとを接続した状態で示す断面図である。
【図８】本発明の第二実施形態に係るコネクタ装置において、一方のコネクタと他方のコネクタとを接続するときの図である。
【符号の説明】
【００５５】
Ｄ  ノート型のコンピュータ（電気機器）
１  一方のコネクタ
１０，１０ａ  被接続部
１１  凹部
１２  挿入孔
１３  貫通孔
２  他方のコネクタ
２ａ  コネクタ本体
２ｂ  ＰＣカード（コネクタ本体）
２０，２０ａ  接続部
２１  ケーブル
２２  突設部
２３  弾性部材
２４  突起
２５  収納体
２５０  収容空間
Ｋ  差込方向
３  コネクタカバー
３０  突出部
３１  弾性部材
３２  弾性体
３３  端部
４  コネクタカバー収納部
５  保持機構
５０  突起
５１  挿入孔
【図１】
2009021125.tif 000003
【図２】
2009021125.tif 000004
【図３】
2009021125.tif 000005
【図４】
2009021125.tif 000006
【図５】
2009021125.tif 000007
【図６】
2009021125.tif 000008
【図７】
2009021125.tif 000009
【図８】
2009021125.tif 000010